(57)【要約】【課題】  被検者の負担を軽減できる眼科装置、およびそれに用いる光学素子を提供することを技術課題とする。【解決手段】  被検眼の隅角を撮影する眼科装置であって、被検眼の隅角へ照明光を投光する投光光学系と、前記隅角からの反射光を受光する受光素子を有する受光光学系と、を備え、前記投光光学系の少なくとも一部の光学素子に遮光部が設けられることを特徴とする。また、被検眼の隅角を撮影する眼科装置において用いられる光学素子であって、前記光学素子の前面側に設けられた反射面と、前記光学素子の後面側に設けられた透光面と、前記透光面に設けられた遮光部と、を備えることを特徴とする。【選択図】      図４
2018187033.tif 000002
【特許請求の範囲】
【請求項１】
被検眼の隅角を撮影する眼科装置であって、
被検眼の隅角へ照明光を投光する投光光学系と、
前記隅角からの反射光を受光する受光素子を有する受光光学系と、を備え、
前記投光光学系の少なくとも一部の光学素子に遮光部が設けられることを特徴とする眼科装置。
【請求項２】
前記遮光部は、前記光学素子において、前記照明光が通過する周辺領域よりも内側に位置する中央領域に設けられることを特徴とする請求項１の眼科装置。
【請求項３】
前記遮光部は、中央に開口部を有する環状であることを特徴とする請求項１または２の眼科装置。
【請求項４】
固視光源からの固視光束を前記被検眼に投光する固視光学系をさらに備え、
前記固視光束は、前記開口部を介して前記被検眼に入射することを特徴とする請求項３の眼科装置。
【請求項５】
前記投光光学系は、光軸方向において隣り合う第１光学素子と第２光学素子を備え、
前記遮光部は、前記第１光学素子および前記第２光学素子の対面側にそれぞれ設けられることを特徴とする請求項１〜４のいずれかの眼科装置。
【請求項６】
前記遮光部は、黒色の印刷によって形成されることを特徴とする請求項１〜５のいずれかの眼科装置。
【請求項７】
前記遮光部は、コーティングによって形成されることを特徴とする請求項１〜５のいずれかの眼科装置。
【請求項８】
前記遮光部は、塗装によって形成されることを特徴とする請求項１〜５のいずれかの眼科装置。
【請求項９】
前記光学素子は、前記被検眼に対して前面側に反射面を有し、後面側に透光面を有することを特徴とする請求項１の眼科装置。
【請求項１０】
被検眼の隅角を撮影する眼科装置において用いられる光学素子であって、
前記光学素子の前面側に設けられた反射面と、
前記光学素子の後面側に設けられた透光面と、
前記透光面に設けられた遮光部と、を備えることを特徴とする光学素子。
【発明の詳細な説明】
【技術分野】
【０００１】
本開示は、被検眼の隅角画像を撮影する眼科装置、およびそれに用いる光学素子に関する。
【背景技術】
【０００２】
緑内障診断において、被検眼の隅角を観察することが有用である。隅角の観察は、従来、隅角鏡を介して検者が目視で行っていたが、近年では、隅角を撮影する種々の装置が提案されている。
【０００３】
例えば、特許文献１には、被検眼の隅角に照明光を照射し、隅角からの反射光に基づいて、隅角の反射画像を得る装置が開示されている。
【先行技術文献】
【特許文献】
【０００４】
【特許文献１】国際公開２０１５／１８０９２３号
【発明の概要】
【発明が解決しようとする課題】
【０００５】
しかしながら、従来の装置において、隅角を照明するための照明光の一部が光学系内部で散乱または反射することによって被検眼の眼底に入り、被検者がまぶしさを感じるという問題点があった。
【０００６】
本開示は、従来の問題点に鑑み、被検者の負担を軽減できる眼科装置、およびそれに用いる光学素子を提供することを技術課題とする。
【課題を解決するための手段】
【０００７】
上記課題を解決するために、本開示は以下のような構成を備えることを特徴とする。
【０００８】
（１）  被検眼の隅角を撮影する眼科装置であって、被検眼の隅角へ照明光を投光する投光光学系と、前記隅角からの反射光を受光する受光素子を有する受光光学系と、を備え、前記投光光学系の少なくとも一部の光学素子に遮光部が設けられることを特徴とする。
（２）  被検眼の隅角を撮影する眼科装置において用いられる光学素子であって、前記光学素子の前面側に設けられた反射面と、前記光学素子の後面側に設けられた透光面と、前記透光面に設けられた遮光部と、を備えることを特徴とする。
【図面の簡単な説明】
【０００９】
【図１】実施例の眼科装置によって撮影される隅角画像を示した図である。
【図２】実施例の眼科装置の概略構成を示した模式図である。
【図３】撮影光学系の一例を示した模式図である。
【図４】対物反射部を示す概略図である。
【図５】投光光学系の一部を示す図である。
【図６】対物反射部の遮光部の一例を示す図である。
【図７】装着部の一例を示す図である。
【図８】装着部の斜視図である。
【図９】制御系の一例を示したブロック図である。
【図１０】実施例の眼科装置によって撮影される隅角画像を示した図である。
【発明を実施するための形態】
【００１０】
｛実施形態｝
＜第１実施形態＞
以下、本開示の第１実施形態について説明する。第１実施形態は、被検眼の隅角を撮影する眼科装置（例えば、眼科装置１）である。第１実施形態の眼科装置は、例えば、投光光学系（例えば、投光光学系３０）と、受光光学系（受光光学系６０）と、を備える。投光光学系は、被検眼の隅角へ照明光を投光する。受光光学系は、隅角からの反射光を受光する受光素子を有する。第１実施形態の投光光学系は、遮光部（例えば、遮光部５０ａ）を備える。遮光部は、例えば、投光光学系の少なくとも一部の光学素子に設けられる。遮光部は、被検眼を照明するための照明光が投光光学系の内部で反射または拡散して生じた迷光を遮光する。また、遮光部は、照明光が光学系内部で拡散または反射することによって生じる迷光の発生を抑制する。これによって、眼科装置は、迷光が被検眼の眼底に入射することを抑制し、被検者の負担を軽減できる。
【００１１】
なお、遮光部は、光学素子において、照明光が通過する周辺領域（例えば、周辺領域Ｂ１，Ｂ２）よりも内側に位置する中央領域（例えば、中央領域Ａ１，Ａ２）に設けられる。周辺領域は、被検眼の隅角を照明するための照明光が通過するため、照明光の通過しない中央領域に遮光部を設ける。これによって、被検眼を照明するための照明光を遮光することなく、不要な迷光を遮光することができる。
【００１２】
なお、遮光部は、中央に開口部（開口部５０ｂ）を有する環状であってもよい。この場合、例えば、開口部を介して固視光学系からの固視光束を被検眼に入射させてもよい。
【００１３】
投光光学系は、光軸方向において隣り合う第１光学素子（例えば、対物反射部５０）と第２光学素子（例えば、レンズ４９）を備え、遮光部は、第１光学素子および第２光学素子の対面側にそれぞれ設けられてもよい。複数の光学素子に遮光部を設けることによって、より確実に迷光を遮光することができる。
【００１４】
なお、遮光部は、黒色の印刷によって形成されてもよいし、他の色の印刷によって形成されてもよい。もちろん、遮光部は、塗装またはコーティングなどによって形成されてもよい。例えば、遮光部は、黒クロム（酸化クロム）のコーティングであってもよい。
【００１５】
光学素子は、被検眼に対して前面側に反射面を有し、後面側に透光面を有してもよい。例えば、光学素子は、ミラープリズムであってもよい。
【００１６】
＜第２実施形態＞
以下、第２実施形態について説明する。第２実施形態も、第１実施形態と同様に被検眼の隅角を撮影する眼科装置である。第２実施形態の眼科装置は、装着部（例えば、装着部９０）を備える。装着部は、投光光学系の光学上に挿入される光学素子（例えば、対物反射部５０）を装着することができる。また、装着部は、光学素子の姿勢を規制する規制部を備える。このように、第２実施形態の眼科装置は、装着部に装着される光学素子の姿勢を規制することによって、光学素子が正常とは異なる姿勢で装着されることを防止できる。
【００１７】
なお、光学素子は、対物光学素子であってもよい。対物光学素子は、例えば、被検眼にもっとも近い光学素子である。
【００１８】
例えば、規制部は、光学素子の光軸回りの回転角度を規制してもよい。例えば、光学素子が、周方向に並んだ複数の反射面を備える場合、規制部は、反射面が所定方向を向くように光学素子の回転角度を規制する。
【００１９】
なお、規制部は、嵌合部（例えば、嵌合部９５）を備えてもよい。嵌合部は、例えば、光学素子を保持するホルダ（例えば、ホルダ５１）の一部と嵌合することによって、光学素子の姿勢を規制する。例えば、嵌合部は、ホルダに設けられた凸部と嵌合することによって光学素子の姿勢を規制してもよい。
【００２０】
なお、装着部は、筒状であってもよい。この場合、嵌合部は、筒状の装着部に設けられた切欠きであってもよい。例えば、切欠きにホルダの一部を嵌合させて、ホルダの姿勢を規制してもよい。もちろん、嵌合部は、切欠きに限らず、凹部であってもよい。
【００２１】
装着部は、２つ以上の嵌合部を備えてもよい。また、２つ以上の嵌合部の形状を互いに異なる形状にすることによって、ホルダが表裏逆に装着部に装着されることを防止してもよい。
【００２２】
また、例えば、３つ以上の形状が同じ嵌合部を備える場合、嵌合部は、装着部の形状がどの経線に対しても非対称な位置に配置されてもよい。これによって、ホルダの表裏が逆の状態で装着部に装着されることを防止できる。なお、経線は、例えば、ホルダに保持された光学素子の光軸中心を基準とするものである。
【００２３】
なお、ホルダは、把持部を備えてもよい。把持部は、例えば、検者がホルダを持つときの持ち手である。この場合、嵌合部は、ホルダに設けられた把持部と嵌合してもよい。
【００２４】
なお、規制部は、ホルダ全体と嵌合する嵌合部を備えてもよい。例えば、嵌合部とホルダは、多角形状（例えば、六角形）であって、嵌合部とホルダ全体が嵌合することによって、光学素子の回転を防ぎ、光学素子の姿勢を規制してもよい。
【００２５】
なお、装着部は、ホルダを保持するための磁性体（例えば、磁石）を備えてもよい。これによって、ホルダが装着部から意図せずに外れてしまうことを防止できる。
【００２６】
｛実施例｝
以下、図面を参照して、本開示に係る眼科装置の実施例を示す。実施例に係る眼科装置１は、隅角撮影装置である。眼科装置１は、被検眼の隅角の反射画像（図１参照）を撮影する。
【００２７】
＜装置構成＞
図２を参照して、眼科装置１における概略的な装置構成を説明する。なお、以下の説明では、図２に示すＸ方向を左右方向、Ｙ方向を上下方向、Ｚ方向を前後方向として説明する。
【００２８】
眼科装置１は、被検眼Ｅの視軸に対して、斜め方向に照明光を照射する。そして、眼科装置１は、撮影光軸に沿って、隅角領域からの反射光の受光を行い、これにより、被検眼の隅角領域における画像を撮像する。
【００２９】
図１に示すように、眼科装置１は、基台３、アライメント機構４，５ａ，５ｂ、顔支持ユニット６、ジョイスティック７、モニタ８、および、光学ユニット１０等、を有する。
【００３０】
光学ユニット１０は、隅角画像の撮影に利用される主要な光学系を有する。光学系の詳細は、図３を参照して後述する。実施例において、光学ユニット１０は、カバー１０ａ内に収容される。但し、先端部１１については、カバー１０ａの外に露出される。
【００３１】
基台３は、アライメント機構４，５ａ，５ｂ、および、顔支持ユニット６を、支持する。本実施例におけるアライメント機構４，５ａ，５ｂは、移動台４と、ＸＹＺ駆動部５ａ，５ｂとに大別される。このうち、移動台４は、メカニカルな機構によって作動され、ＸＹＺ駆動部５ａ，５ｂは、電動式のアクチュエータによって作動される。
【００３２】
移動台４は、基台３の上に配置され、基台３との間に、メカニカルな移動機構を有する。この移動機構は、ＸＺ方向に移動台４を移動させ、その結果、ＸＺ方向に関する被検眼Ｅと光学ユニット１０との位置関係を調整する。検者は、ジョイスティック７を操作することによって、移動台４を基台３に対して移動させる。
【００３３】
本実施例におけるＸＹＺ駆動部５ａ，５ｂは、移動台４の上に更に積載されている。ＸＹＺ駆動部５ａ，５ｂは、眼科装置１の制御部８０（図４参照）からの制御信号に基づいて、光学ユニット１０をＸＹＺの各方向に移動させる。結果、ＸＹＺの各方向に関して、被検眼Ｅと光学ユニット１０との位置関係が調整される。
【００３４】
モニタ８は、検者側の筐体側面に配置されている。モニタ８は、例えば、光学ユニット１０を介して撮影された隅角画像を表示する。
【００３５】
＜光学系＞
次に、図３を参照して、光学ユニット１０に設けられた光学系を説明する。光学ユニット１０は、撮影光学系３０を少なくとも有している。また、本実施例では、更に、固視光学系７０を有している。
【００３６】
便宜上、まず、固視光学系７０を説明する。固視光学系７０は、少なくとも、固視光源（固視標）７１を、有する。また、図３において、固視光学系７０は、更に、アパーチャ７２、レンズ７３、および、ミラー７４、を有する。光源７１から出射された光は、アパーチャ７２を介して、レンズ７３を通過することで、所定の光束径でコリメートされる。コリメートされた光が、ミラー７４によって折り曲げられて、被検眼Ｅに対して投影される。図３では、固視光学系７０の光軸（より詳細には、固視光学系７０の光軸のうち、ミラー７４から被検眼Ｅまでの範囲）を、Ｌ１の符号で表す。また、Ｌ１を、固視光軸と称する。図３に示す撮影光学系３０の各部材は、固視光軸を基準として配置されている。
【００３７】
撮影光学系３０は、投光光学系４０と、受光光学系６０と、を有する。また、撮影光学系３０は、撮影光軸Ｌ２を有する。撮影光軸Ｌ２は、固視光軸Ｌ１に対して傾斜配置され、且つ、被検眼Ｅの隅角へ向かう。
【００３８】
投光光学系４０は、例えば、対物反射部５０を少なくとも有する。また、実施例において、投光光学系４０は、光源４１、レンズ４２、アパーチャ４３、レンズ４４、ミラー４５、リングアパーチャ４６、穴開きミラー４７、光偏心部４８、レンズ４９などを有している。
【００３９】
光源４１は、隅角に照射される照明光の光源である。本実施例において、光源４１は、可視光を出射する。以下の説明では、隅角画像をカラー画像として得るために、波長域が異なる複数色の光（例えば、白色光）を、少なくとも出射可能であるものとする。
【００４０】
光源４１からの光（照明光）は、レンズ４２、アパーチャ４３、レンズ４４、ミラー４５、リングアパーチャ４６、および、穴開きミラー４７、を経由して、光偏心部４８に入射される。
【００４１】
ここで、リングアパーチャ４６は、撮影光学系３０の内部での反射による迷光Ｍを抑制するために設けられている。例えば、レンズ４８ｃ，レンズ４９等の光源４１側の表面による反射が、リングアパーチャ４６によって抑制される。
【００４２】
また、穴開きミラー４７は、投光光学系４０と、受光光学系６０との光路を分岐させる光路分岐部の一例である。穴開きミラー４７に代えて、ハーフミラー等の他のビームスプリッタが適用されてもよい。本実施例では、光源４１からの光は、穴開きミラー４７の鏡面によって、光偏心部４８に向かうように反射される。
【００４３】
なお、本実施例では、穴開きミラー４７で反射された照明光の光路中心が、固視光軸Ｌ１と同軸となっている。
【００４４】
光偏心部４８は、照明光の光路を、固視光軸Ｌ１に対して偏心させる。例えば、平行に配置された２枚のミラー４８ａ，４８ｂを用いて照明光の光路中心を、固視光軸Ｌ１に対して所定間隔だけ、シフトする。シフトされた照明光は、レンズ４８ｃを通過して、光偏心部４８から外に照射され、レンズ４９を介して対物反射部５０に入射する。本実施例において、レンズ４９および対物反射部５０のそれぞれの光軸は、固視光軸Ｌ１と同軸に配置されている。したがって、シフトされた照明光は、レンズ４９および対物反射部５０の光軸からも所定間隔だけ離れた領域（周辺領域Ａｓ）を通る。
【００４５】
レンズ４９は、マイナスパワーを持つレンズであり、光偏心部４８から、固視光軸Ｌ１と略平行に出射される照明光を、固視光軸Ｌ１から離れる向きに折り曲げて、対物反射部５０に入射させる。
【００４６】
対物反射部５０は、照明光を、固視光軸Ｌ１側に折り曲げる反射面を持つ。反射面によって反射された照明光の光軸を、固視光軸Ｌ１に対して大きく傾斜するように折り曲げて、装置外部に導く。このとき、装置外部へ導かれる光軸が、本実施例における撮影光軸Ｌ２として利用される。装置からの照明光は、撮影光軸Ｌ２に沿って、被検眼Ｅの隅角領域へ照射される。
【００４７】
本実施例において、対物反射部５０には、複数枚の反射面が、光軸周りに並べられて配置されている。対物反射部５０の具体例として、本実施例では、例えば、正多角形を底面に持つ、錐台形状のプリズムが利用されるものとする。より詳細には、底面は、正１６角形であり、１６枚の側面を有するプリズムが利用される。本実施形態では、被検眼Ｅからみて、０°、２２．５°、４５°、６７．５°、９０°・・・（中略）…３３７．５°の各方向に、固視光軸Ｌ１に向けられた反射面が配置されている。なお、各々の角度は、固視光軸Ｌ１を基準とした角度である。また、説明の便宜上、０°は、水平面上とする。
【００４８】
但し、反射面は、複数枚に分かれている必要は、必ずしもなく、一連の曲面で形成されていてもよい。また、対物反射部５０は、必ずしもプリズムである必要はなく、例えば、反射鏡であってもよい。反射鏡の場合、光軸側に反射面を持つ、筒状の多面鏡または曲面鏡であってもよい。
【００４９】
ここで、本実施例の眼科装置１は、光偏心部４８を、固視光軸Ｌ１の周りに回転させる駆動部４８ｄ（図４参照）を有する。光偏心部４８の回転に応じて、レンズ４９および対物反射部５０に対する照明光の入射位置が、固視光軸Ｌ１の周りに回転される。その結果、撮影光軸Ｌ２が固視光軸Ｌ１の周りに回転され、結果として、隅角の全周における照明光の照射位置が、変位される。
【００５０】
本実施例では、対物反射部５０（プリズム）と、角膜と、の間に、ジェルＧが介在される。ジェルＧは、照明光の角膜反射を抑制するために、角膜へ塗布等される。なお、ジェルＧは、図示なき保持容器に充填された状態で、角膜および対物反射部５０の先端の両方に、接していてもよい（詳細は、本出願人による「特開２００２−１７６８０号公報」等を参照）。
【００５１】
投光光学系４０が照射した照明光は、隅角領域で反射され、撮影光軸Ｌ２を辿って装置内部の受光光学系６０へ導かれる。
【００５２】
本実施例において、受光光学系６０は、撮像素子（受光素子の一例）６２を、少なくとも有する。また、受光光学系６０は、対物反射部５０、および、穴開きミラー（ビームスプリッタ）４７を、投光光学系４０と少なくとも共用する。更に、光偏心部４８、レンズ４９、等を、を投光光学系４０と共用していてもよい。また、受光光学系６０は、フォーカスレンズ６１を有する。フォーカスレンズ６１は、本実施例の撮影光学系３０におけるフォーカス変更部の一部である。フォーカスレンズ６１を光軸に沿って移動させる駆動部６１ａが、眼科装置１には設けられている。駆動部６１ａは、例えば直動アクチュエータを含んでいてもよい。
【００５３】
隅角領域からの反射光は、対物反射部５０、レンズ４９、および、光偏心部４８を介して、穴開きミラー４７へ照射される。その後、反射光は、穴開きミラー４７の開口、および、フォーカスレンズ６１、をそれぞれ通過して、撮像素子６２において結像される。結果、隅角の全周において照明光が照射された部位を撮像位置とする、隅角画像が、撮像素子６２からの受光信号に基づいて得られる。
【００５４】
また、光偏心部４８を回転させ、撮影光軸Ｌ２を固視光軸Ｌ１の周りに回転させることにより、隅角の全周における撮像位置を切換えることができる。前述したように、本実施例では、対物反射部５０が、１６枚の反射面を有するので、隅角の全周を１６分割してその各々を、選択的に撮像できる。
【００５５】
＜遮光部＞
本実施例の対物反射部５０およびレンズ４９には、遮光部が設けられる。遮光部は、対物反射部５０またはレンズ４９などにおいて、照明光が拡散または反射することによって生じる迷光Ｍ（図３参照）の発生を抑制し、迷光Ｍが被検眼の眼底に入射することを防ぐ。
【００５６】
図４（ａ）は対物反射部５０を被検者側から見たときの様子、図４（ｂ）は対物反射部５０をレンズ４９側から見たときの様子を示す。図４（ｂ）に示すように、遮光部５０ａは、照明光の通過する周辺領域Ｂ１ではなく、照明光の通過しない中央領域Ａ１に設けられる。また、本実施例の遮光部５０ａは環状であり、中央に開口部５０ｂが設けられる。開口部５０ｂは、固視光源７１からの光を通過させるために設けられる。つまり、遮光部５０ａは、光軸Ｌ１と光軸Ｌ２の間の環状領域に設けられる。
【００５７】
図５は、レンズ４９を被検者側から見たときの様子を示す。レンズ４９の遮光部４９ａは、遮光部５０ａと同様に、照明光の通過する周辺領域Ｂ２ではなく、照明光の通過しない中央領域Ａ２に設けられる。遮光部４９ａの中央にも固視光源７１からの光を通過させるために、開口部４９ｂが設けられている。
【００５８】
本実施例において、遮光部４９ａおよび遮光部５０ａは、黒色の印刷である。黒色の印刷によって、撮影光学系３０の内部で予期せぬ方向に反射または拡散した照明光（迷光Ｍ）が遮光され、被検眼の眼底に入射する迷光Ｍを減少させる。これによって、被検者にまぶしさを感じさせることを防止できる。
【００５９】
もちろん、遮光部４９ａまたは遮光部５０ａは、遮光できる構成であればよく、黒色の印刷に限らない。例えば、他の色の印刷であってもよいし、印刷ではなく塗装またはコーティングであってもよい。例えば、遮光部４９ａ，５０ａは、黒クロム（酸化クロム）のコーティングによって形成されてもよい。また、遮光部４９ａ，５０ａは、フィルムまたはシールによって形成されてもよい。
【００６０】
なお、遮光部４９ａ，５０ａは、円形であってもよいし、図６に示すような多角形でもよい。遮光部４９ａ，５０ａは、照明光束と固視光束を遮らないような形状であればよい。
【００６１】
なお、遮光部は、対物反射部５０およびレンズ４９の両方に設ける必要はなく、どちらか一方だけでもよい。
【００６２】
＜対物反射部の装着＞
なお、対物反射部５０は、被検眼Ｅとの間にジェルＧを介在させて近接させるため、撮影毎に交換し易いように先端部１１から取り外しできるようになっている。例えば、本実施例では、先端部１１に装着部（後述する）が設けられ、装着部に対物反射部５０を装着できるようになっている。詳細には、ホルダ５１に保持された対物反射部５０がホルダ５１とともに装着部に装着される。
【００６３】
図４に示すように、対物反射部５０は、ホルダ５１に保持される。ホルダ５１には、凸部５２ａ，５２ｂおよび凸部５３が設けられる。凸部５２ａ，５２ｂは、例えば、ホルダ５１の左右に設けられており、検者がホルダ５１を持つときの把持部として機能する。凸部５３は、例えば、ホルダ５１の形状が、どの経線に対しても非対称な位置に設けられる。つまり、凸部５３は、装着部の形状が線対称とはならない位置に配置される。本実施例のように凸部５２ａ，凸部５２ｂが左右対称に設けられている場合、凸部５３は、左右対称軸Ｖ１から外れた位置に設けられる。例えば、本実施例の凸部５３は、光軸回りの水平軸Ｈからの角度αが６０°となる位置に設けられる。
【００６４】
図７は、先端部１１の先端に設けられる装着部９０の概略図である。装着部９０には、対物反射部５０を保持するホルダ５１が装着される。装着部９０は、図３の撮影光学系３０において、レンズ４９と対物反射部５０の間に設けられる。
【００６５】
装着部９０は、例えば、円筒部９１と嵌合部９５などを有する。嵌合部９５は、例えば、ホルダ５１の一部と嵌合することによって、ホルダ５１を保持する。嵌合部９５は、例えば、切欠き９２ａ，９２ｂ、切欠き９３などである。切欠き９２ａ，９２ｂは、円筒部９１の周縁の左右に設けられる。切欠き９３は、装着部９０の形状が、どの経線に対しても非対称な位置に設けられる。本実施例のように、切欠き９２ａ，９２ｂが左右対称に設けられている場合、凸部５３は、左右対称軸Ｖ２から外れた位置に設けられる。
【００６６】
図８（ａ）はホルダ５１が装着される前の装着部９０の斜視図であり、図８（ｂ）はホルダ５１が装着された後の装着部９０の斜視図である。本実施例の場合、図８（ｂ）に示すように、切欠き９２ａは凸部５２ａと嵌合し、切欠き９２ｂは凸部５２ｂと嵌合し、切欠き９３は凸部５３と嵌合する。このように、ホルダ５１の各凸部５２ａ，５２ｂ，５３が、装着部９０の各切欠き９２ａ，９２ｂ，９３と嵌合することによって、ホルダ５１に保持された対物反射部５０の姿勢が規制される。また、装着部９０にホルダ５１が装着されることによって、対物反射部５０の位置が定まる。
【００６７】
上記のように、対物反射部５０の姿勢が規制されることによって、対物反射部５０に設けられた複数の反射面が所定の位置に配置される。これによって、所定の撮影位置で隅角を撮影することができる。仮に対物反射部５０の角度がずれてしまうと、隅角の撮影位置がずれてしまう。本実施例のように、嵌合部９５によって対物反射部５０の姿勢を規制することで、対物反射部５０を正しい角度で装着部９０に取り付けることができる。
【００６８】
また、本実施例のように、装着部の切欠きと、ホルダの凸部がそれぞれ３つ備わり、それらが線対称とならない位置に配置される場合、対物反射部５０の表裏が反対に装着されることがなくなる。例えば、対物反射部５０の裏表を判定に装着しようとした場合、切欠き９２ａと凸部５２ｂが嵌合し、切欠き９２ｂと凸部５２ａが嵌合するが、切欠き９３と凸部５３は位置がずれるため、嵌合しない。
【００６９】
仮に、切欠き９３および凸部５３が左右対称軸上に設けられた場合、対物反射部５０を表裏反転させた状態で装着部９０に取り付けることができる。つまり、切欠き９２ａと凸部５２ｂが嵌合し、切欠き９２ｂと凸部５２ａが嵌合し、切欠き９３と凸部５３が嵌合する。しかしながら、対物反射部５０の裏表が反対である場合、隅角を上手く撮影することができない。したがって、本実施例のように、嵌合部９５を３つ設け、それらを線対称とならない位置に配置することによって、対物反射部５０を表裏逆に装着できないようにし、撮影ミスの発生を防止することができる。
【００７０】
なお、本実施例において、装着部９０とホルダ５１は、簡単に外れないように磁力による引力を働かせている。例えば、装着部９０は磁石９３ａを備え、ホルダ５１は磁石５３ａを備えている。もちろん、磁石９３ａ，５３ａの一方は鉄などの磁性体であってもよい。
【００７１】
なお、本実施例において、ホルダ５１の凸部と装着部９０の切欠きの数はそれぞれ３つであったが、１つであってもよい。切欠きおよび凸部が１つであっても、対物反さＹ部５０の回転方向は規制できる。
【００７２】
なお、本実施例において、嵌合部９５は、切欠きであったが、ホルダ５１の凸部と嵌合する凹部であってもよい。もちろん、ホルダ５１に凹部が設けられる場合、嵌合部９５は凸部であってもよい。
【００７３】
＜制御系＞
次に、図９を参照して、眼科装置１の制御系を説明する。眼科装置１は、制御部（プロセッサ）８０を備える。制御部８０によって、装置全体の制御処理および各種演算処理が実行される。
【００７４】
制御部８０は、ＣＰＵ、ＲＯＭ、ＲＡＭ等を含んでいてもよい。ＲＡＭには、例えば、撮影および測定に用いる一時データが格納される。
【００７５】
制御部８０は、例えば、バス等を介して、アライメント機構５ａ，５ｂ、モニタ８、光源４１、駆動部４８ｄ、駆動部６１ａ、受光素子６２、光源７１、記憶装置８１、操作部８５、等と接続される。
【００７６】
記憶装置８１は、書き換え可能な不揮発性の記憶装置である。記憶装置８１としては、ハードディスク、フラッシュメモリ、ＵＳＢメモリ等の種々の記憶装置が適用可能である。また、記憶装置８１には、例えば、眼科装置１に撮影動作等の各種動作を実行させるためのプログラムが、少なくとも格納されていてもよい。
【００７７】
眼科装置１によって撮像される隅角画像は、記憶装置８１に保存されてもよい。また、モニタ８において表示されてもよい。
【００７８】
操作部８５は、眼科装置１における入力インターフェイスである。操作部８５が検者によって操作されることによって、操作に応じた指示が、制御部８０に入力される。操作部８５としては、例えば、マウス、および、タッチパネル等のポインティングデバイスであってもよいし、キーボードであってもよい。また、眼科装置１において、アライメントのために操作されるジョイスティック７が、操作部８５の１つとして利用されてもよい。
【００７９】
＜動作説明＞
以上のような構成を持つ、眼科装置１における隅角画像の撮影動作を説明する。
【００８０】
撮影に際し、まず、制御部８０は、光源７１を点灯し、固視標の投影を開始する。これにより、被検眼Ｅの視線が誘導される。
【００８１】
次に、検者は、ジョイスティック７等を操作して、対物反射部５０の先端が、被検眼Ｅの角膜から数ミリ程度の距離となるように、撮影光学系３０を被検眼Ｅへと接近させる（第１のアライメント）。その際、併せて、被検眼Ｅと対物反射部５０との間に、ジェルＧを介在させる。
【００８２】
第１のアライメントが完了した後、第２のアライメントが実行される。例えば、第１のアライメント完了を、装置が自動で検出して、第２のアライメントが開始してもよいし、操作部８５に対する所定の操作の入力をトリガとして、第２のアライメントが開始されてもよい。
【００８３】
ここで、第１のアライメント完了を、自動的に検出する場合の一例を示す。例えば、制御部８０は、予め定められた複数の撮像位置で隅角画像を、検者によってジョイスティック７等が操作される間、繰り返し撮像する。そして、各々の隅角画像を処理して、その隅角画像において隅角の特徴部が含まれているか否かを検出する。より詳細には、各々の隅角画像の中に、隅角の特徴部を示す画像的な特徴が含まれているか否かを確認する。各撮像位置での隅角画像において隅角の特徴部が検出される場合に、第１のアライメントを完了してもよい。第１のアライメント完了を判定する際に利用される特徴部は、後述の第２のアライメントに利用される特徴部と同一であってもよい。
【００８４】
第２のアライメントでは、隅角全周の中心に、対物反射部５０の光軸が略合致するように、被検眼Ｅと撮影光学系３０との位置関係が調整される。より詳細には、光偏心部４８の回転によって互いに異なる撮像位置で隅角画像を得た際に、それぞれの隅角画像において所定の特徴部が良好に含まれるように、調整が行われる。
【００８５】
線維柱帯は、虹彩と角膜の間にある。角膜の方が虹彩に比べ、可視光を反射しやすいため、隅角画像において線維柱帯の近傍には、大きな輝度の変化が確認される。における線維柱帯の位置を特定（検出）してもよい。
【００８６】
撮影された隅角画像を、制御部８０は、モニタ８へ表示させてもよい。この場合、図１０に示すレイアウトで、１６枚の隅角画像を並べて表示させてもよい。即ち、各々の隅角画像を撮影部位の位置と対応させつつ、円環状に並べて配置させる。これにより、隅角の全周における線維柱帯の状態を、検者に容易に確認させることができる。
【００８７】
以上、実施形態に基づいて本開示を説明したが、本開示は、上記形態に限定されるものではなく、種々の変容が可能である。
【符号の説明】
【００８８】
１  眼科装置
４，５ａ，５ｂ  アライメント機構
３０  撮影光学系
４０  投光光学系
４８  光偏心部
４８ｄ  駆動部
５０  対物光学系
６０  受光光学系
６１  フォーカシングレンズ
６１ａ  駆動部
８０  制御部
【図１】
2018187033.tif 000003
【図２】
2018187033.tif 000004
【図３】
2018187033.tif 000005
【図４】
2018187033.tif 000006
【図５】
2018187033.tif 000007
【図６】
2018187033.tif 000008
【図７】
2018187033.tif 000009
【図８】
2018187033.tif 000010
【図９】
2018187033.tif 000011
【図１０】
2018187033.tif 000012